(57)【要約】【課題】検査画像に対する読影の判定結果を示す判定区分の入力を支援することの可能な仕組みを提供すること。【解決手段】読影の判定結果を示す判定区分であって、所見に関する情報に対応する１または複数の判定区分を記憶しておく。そして、検査画像に対する所見に関する情報の入力を受け付けると共に、複数の判定区分のいずれかに対する入力を受け付ける、この入力を受け付けるときには、入力を受け付けた所見に関する情報に対応する、記憶された１または複数の判定区分に対する入力を受け付ける。【選択図】図１７
2019185814.tif 000002
【特許請求の範囲】
【請求項１】
読影医が検査画像に対する所見を入力する際に用いる医用画像診断支援システムであって、
読影の判定結果を示す判定区分であって、所見に関する情報に対応する１または複数の判定区分を記憶する記憶手段と、
検査画像に対する所見に関する情報の入力を受け付けると共に、複数の判定区分のいずれかに対する入力を受け付ける入力受付手段と
を備え、
前記入力受付手段は、前記入力受付手段で入力を受け付けた前記所見に関する情報に対応する、前記記憶手段に記憶された１または複数の判定区分に対する入力を受け付けることを特徴とする医用画像診断支援システム。
【請求項２】
前記医用画像診断支援システムは、
検査画像に対する所見に関する情報と、前記複数の判定区分とを表示する表示制御手段を更に備え、
前記表示制御手段は、前記入力受付手段で入力を受け付けた前記所見に関する情報に対応する、前記記憶手段に記憶された１または複数の判定区分を識別可能に表示することを特徴とする請求項１に記載の医用画像診断支援システム。
【請求項３】
前記表示制御手段は、前記入力受付手段で入力を受け付けた前記所見に関する情報に対応する、前記記憶手段に記憶された１または複数の判定区分を非表示にすることを特徴とする請求項２に記載の医用画像診断支援システム。
【請求項４】
前記表示制御手段は、検査画像に対する所見に関する情報と前記複数の判定区分とを含むダイアログと、更に前記検査画像とを含む画面を表示することを特徴とする請求項２または３に記載の医用画像診断支援システム。
【請求項５】
前記入力受付手段は、検査画像に対する所見に関する情報の入力を受け付けた後に、複数の判定区分のいずれかに対する入力を受け付けることを特徴とする請求項１乃至４のいずれか１項に記載の医用画像診断支援システム。
【請求項６】
前記所見に関する情報は、検査画像に含まれる異常な態様を示す所見名称であることを特徴とする請求項１乃至５のいずれか１項に記載の医用画像診断支援システム。
【請求項７】
読影の判定結果を示す判定区分であって、所見に関する情報に対応する１または複数の判定区分を記憶する記憶手段を備え、読影医が検査画像に対する所見を入力する際に用いる医用画像診断支援システムの制御方法であって、
前記医用画像診断支援システムの入力受付手段が、検査画像に対する所見に関する情報の入力を受け付けると共に、複数の判定区分のいずれかに対する入力を受け付ける入力受付ステップ
を備え、
前記入力受付ステップは、前記入力受付ステップで入力を受け付けた前記所見に関する情報に対応する、前記記憶手段に記憶された１または複数の判定区分に対する入力を受け付けることを特徴とする医用画像診断支援システムの制御方法。
【請求項８】
読影の判定結果を示す判定区分であって、所見に関する情報に対応する１または複数の判定区分を記憶する記憶手段を備え、読影医が検査画像に対する所見を入力する際に用いる医用画像診断支援システムの制御方法を実行可能なプログラムであって、
前記医用画像診断支援システムを、
検査画像に対する所見に関する情報の入力を受け付けると共に、複数の判定区分のいずれかに対する入力を受け付ける入力受付手段
として機能させ、
前記入力受付手段は、前記入力受付手段で入力を受け付けた前記所見に関する情報に対応する、前記記憶手段に記憶された１または複数の判定区分に対する入力を受け付けることを特徴とするプログラム。
【請求項９】
読影医が検査画像に対する所見を入力する際に用いる情報処理装置であって、
読影の判定結果を示す判定区分であって、所見に関する情報に対応する１または複数の判定区分を記憶する記憶手段と、
検査画像に対する所見に関する情報の入力を受け付けると共に、複数の判定区分のいずれかに対する入力を受け付ける入力受付手段と
を備え、
前記入力受付手段は、前記入力受付手段で入力を受け付けた前記所見に関する情報に対応する、前記記憶手段に記憶された１または複数の判定区分に対する入力を受け付けることを特徴とする情報処理装置。
【請求項１０】
読影の判定結果を示す判定区分であって、所見に関する情報に対応する１または複数の判定区分を記憶する記憶手段を備え、読影医が検査画像に対する所見を入力する際に用いる情報処理装置の制御方法であって、
前記情報処理装置の入力受付手段が、検査画像に対する所見に関する情報の入力を受け付けると共に、複数の判定区分のいずれかに対する入力を受け付ける入力受付ステップ
を備え、
前記入力受付ステップは、前記入力受付ステップで入力を受け付けた前記所見に関する情報に対応する、前記記憶手段に記憶された１または複数の判定区分に対する入力を受け付けることを特徴とする情報処理装置の制御方法。
【請求項１１】
読影の判定結果を示す判定区分であって、所見に関する情報に対応する１または複数の判定区分を記憶する記憶手段を備え、読影医が検査画像に対する所見を入力する際に用いる情報処理装置の制御方法を実行可能なプログラムであって、
前記情報処理装置を、
検査画像に対する所見に関する情報の入力を受け付けると共に、複数の判定区分のいずれかに対する入力を受け付ける入力受付手段
として機能させ、
前記入力受付手段は、前記入力受付手段で入力を受け付けた前記所見に関する情報に対応する、前記記憶手段に記憶された１または複数の判定区分に対する入力を受け付けることを特徴とするプログラム。
【発明の詳細な説明】
【技術分野】
【０００１】
本発明は、検査画像に対する読影の判定結果を示す判定区分の入力を支援することの可能な医用画像診断支援システム、その制御方法、及びプログラム、並びに情報処理装置、その制御方法、及びプログラムに関する。
【背景技術】
【０００２】
Ｘ線ＣＴ装置やＭＲＩ装置といった各種モダリティで撮像された医用画像の読影は、読影を専門とする読影医によって行われる。しかしながら、読影医はすべての医療機関にいるわけではない。そこで読影医が不在の医療機関は、読影を請け負う読影センターに対して読影の依頼を行っている。
【０００３】
読影センターの読影医は、医療機関から受け付けた医用画像を読影し、その結果を電子的なレポート（以下、読影レポートという。）にまとめる。この読影レポートには、読影医の所見として、異常が確認された解剖学的部位とその異常の態様等が記載される。
【０００４】
読影医にとって、こうした読影レポートを作成する作業負荷は少なくない。そこで特許文献１には、医用画像を構成する複数の画像の中から選択された１つまたは複数のキー画像の周辺にある、人体の特徴的な局所構造の情報を、所見の入力欄に記載する候補として表示する仕組みが開示されている。
【先行技術文献】
【特許文献】
【０００５】
【特許文献１】特開２０１５−１８７８４５号公報
【発明の概要】
【発明が解決しようとする課題】
【０００６】
ところで、健診機関が行う集団健診においては、特定の部位に対するコンピュータＸ線撮影（Ｃｏｍｐｕｔｅｄ  Ｒａｄｉｏｇｒａｐｈｙ。以下、ＣＲという。）が行われている。集団健診では数百人単位の健診者を撮像し、健診者それぞれの読影レポートを作成しなければならない。
【０００７】
健診における読影レポートには、異常が確認された解剖学的部位とその異常の態様等といった所見に加えて、健康状態の目安となる判定区分が入力される。この判定区分は、「異常なし」、「軽度変化」、「経過観察」、「要精密」といった読影の総合的な判定結果を示す。一般的に、健診者はこの判定区分を見て自身の健康状態を大まかに把握している。
【０００８】
読影レポートに入力する判定区分は、読影医が入力した所見とある程度関連性があるものの、所見から一意の判定区分を特定できないものもある。なぜなら、所見として入力された異常の態様の度合いによって、判定区分が決まるからである。そのため、同じ所見が入力されたとしても、同じ判定区分が入力されるとは限らない。
【０００９】
つまり、どの判定区分にするのかといった基準は読影医の裁量によってしまうため、読影レポートの品質にばらつきが生じてしまう可能性がある。また、読影医による入力ミスで誤った判定区分が入力されてしまう可能性もある。
【００１０】
しかしながら、特許文献１では、読影医が読影レポートに入力する可能性の高い局所構造情報を一覧表示できるものの、読影レポートの判定区分の入力を制御する仕組みについては考慮されていない。
【００１１】
本発明は、検査画像に対する読影の判定結果を示す判定区分の入力を支援することの可能な仕組みを提供することを目的とする。
【課題を解決するための手段】
【００１２】
上記の目的を達成するために、本発明の医用画像診断支援システムは、読影医が検査画像に対する所見を入力する際に用いる医用画像診断支援システムであって、読影の判定結果を示す判定区分であって、所見に関する情報に対応する１または複数の判定区分を記憶する記憶手段と、検査画像に対する所見に関する情報の入力を受け付けると共に、複数の判定区分のいずれかに対する入力を受け付ける入力受付手段とを備え、前記入力受付手段は、前記入力受付手段で入力を受け付けた前記所見に関する情報に対応する、前記記憶手段に記憶された１または複数の判定区分に対する入力を受け付けることを特徴とする。
【発明の効果】
【００１３】
本発明によれば、検査画像に対する読影の判定結果を示す判定区分の入力を支援することが可能となる。
【図面の簡単な説明】
【００１４】
【図１】本発明の実施形態における医用画像診断支援システムのシステム構成の一例を示す図である。
【図２】読影端末１０３及び読影管理サーバ１０４のハードウェア構成の一例を示す図である。
【図３】読影端末１０３、読影管理サーバ１０４等の機能構成の一例を示す図である。
【図４】ワークリスト画面６００を表示する処理の流れの一例を示すフローチャートである。
【図５】読影依頼管理テーブル５００及び検査管理テーブル５１０のテーブル構成の一例を示す図である。
【図６】ワークリスト画面６００の画面構成の一例を示す図である。
【図７】検査リスト画面８００を表示する処理の流れの一例を示すフローチャートである。
【図８】検査リスト画面８００の画面構成の一例を示す図である。
【図９】レポート管理テーブル９００のテーブル構成の一例を示す図である。
【図１０】所見入力画面１３００を表示し、読影レポートを作成する処理の流れの一例を示すフローチャートである。
【図１１】入力コードテーブル１１００のテーブル構成の一例を示す図である。
【図１２】入力制御テーブル１２００のテーブル構成の一例を示す図である。
【図１３】所見入力画面１３００の画面構成の一例を示す図である。
【図１４】所見入力がされた後の検査リスト画面８００の一例を示す図である。
【図１５Ａ】所見入力処理の詳細な処理の流れの一例を示すフローチャートである。
【図１５Ｂ】図１５Ａに続き、所見入力処理の詳細な処理の流れの一例を示すフローチャートである。
【図１６】所見入力画面１３００における入力結果の一例を示す図である。
【図１７】所見入力画面１３００における入力結果の一例を示す図である。
【図１８】所見入力画面１３００における入力結果の一例を示す図である。
【図１９】所見入力画面１３００における入力結果の一例を示す図である。
【発明を実施するための形態】
【００１５】
以下、図面を参照して、本発明の一実施形態を詳細に説明する。尚、以下に示す構成は一例であり、本願発明はこれらに限定されるものではない。
【００１６】
図１は、本実施形態に係る情報処理システムとしての医用画像診断支援システムのシステム構成の一例を示す。本実施形態において、医用画像診断支援システムは、各拠点として、依頼施設、読影センター、及びデータセンターを含み、各拠点はネットワーク１０７を介して通信可能に接続されている。
【００１７】
依頼施設には、読影依頼を行うための依頼端末１０１がＬＡＮ（Ｌｏｃａｌ  Ａｒｅａ  Ｎｅｔｗｏｒｋ）に接続されている。また、読影センターには、読影依頼に関する業務を行うための業務端末１０２と、読影医が読影を行うための読影端末１０３とがＬＡＮに接続されている。更に、データセンターには、読影依頼を管理するための読影管理サーバ１０４と、医用画像を管理するための画像管理サーバ１０５と、各種データテーブルを管理するためのデータベースサーバ１０６とがＬＡＮに接続されている。データセンターに接続される各種サーバによって提供されるサービスは、いわゆるクラウドサービスとして提供されるものである。尚、本実施形態では、依頼施設、読影センター、及びデータセンターの３つの拠点に分けて説明を行うが、様々なシステム構成があるため、これに限定されない。
【００１８】
尚、本実施形態において、ネットワーク１０７はＶＰＮ（Ｖｉｒｔｕａｌ  Ｐｒｉｖａｔｅ  Ｎｅｔｗｏｒｋ）等で保護されたインターネットを想定しているが、特にこれに限らない。また、本実施形態における依頼施設は、健康診断を行う健診機関を想定するが、特にこれに限らない。
【００１９】
まず、本実施形態における読影の主な流れを説明する。依頼施設では、医用画像撮像装置であるモダリティによって被検体を撮像し、医用画像を生成する。この医用画像は例えば、ＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）規格の画像データである。ＤＩＣＯＭ規格の医用画像にはＤＩＣＯＭタグという付帯情報が含まれており、付帯情報には検査日、患者名、検査種、部位等の情報が格納されている。また、健診機関における集団健診では、複数の被検体に対してモダリティで撮像を行うので、複数の医用画像が生成されることになる。
【００２０】
医用画像が生成されると、依頼端末１０１またはモダリティから読影管理サーバ１０４に医用画像を送信する。読影管理サーバ１０４はこれを受信すると、受信した医用画像を画像管理サーバ１０５に送信し、画像管理サーバ１０５の外部メモリに記憶させる。
【００２１】
依頼施設の読影依頼業務を行う担当者は、依頼端末１０１を用いて読影の依頼時に必要な情報（以下、読影依頼情報という。）を入力し、読影依頼の指示を行うと、依頼端末１０１は読影依頼情報を読影管理サーバ１０４に送信する。読影管理サーバ１０４は、依頼端末１０１から読影依頼情報を受信すると、受信した読影依頼情報をデータベースサーバ１０６に送信し、データベースサーバ１０６の外部メモリに記憶させる。例えば、集団健診の場合は、１回の集団検診に関する読影依頼を行う。すなわち、医用画像ごとに読影依頼を行うのではなく、１回の集団健診で撮像した複数の被検体に関する医用画像をまとめて読影してもらうべく、読影依頼を行う。
【００２２】
そして読影管理サーバ１０４は、読影センターの業務担当者が操作する業務端末１０２からの指示に応じて、データセンターで受け付けた読影依頼に対応する読影医を、読影医の専門性やスケジュールを考慮して決定する。
【００２３】
読影を行う読影医は、読影センターに配置された読影端末１０３（もしくは、読影医の自宅に配置された読影端末であってもよい。）を用いて、自身に割り当てられた読影依頼に対応する医用画像を画像管理サーバ１０５からダウンロードし、読影を行う。その後、読影医は、読影した結果の所見等を記述する読影レポートを、読影端末１０３で動作するアプリケーションを用いて作成する。作成が完了した読影レポートは、読影管理サーバ１０４に送信され、データベースサーバ１０６に保管され、読影依頼を行った依頼端末１０１がこの読影レポートを表示する。尚、ここでは、読影端末として、読影センター及び読影医の自宅の例を示したが、いずれの場所に配置されてもよく、また、モバイル端末などを用いて参照できるようにしても構わない。以上のようにして、読影業務が行われる。
【００２４】
図２は、読影端末１０３及び読影管理サーバ１０４のハードウェア構成の一例を示す図である。尚、図２に示すハードウェア構成はあくまで一例であり、用途や目的に応じて様々な構成例があるため、これに限定されない。
【００２５】
ＣＰＵ２０１は、システムバス２０４に接続される各デバイスやコントローラを統括的に制御する。
【００２６】
また、ＲＯＭ２０２あるいは外部メモリ２１１には、ＣＰＵ２０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳという。）が記憶されている。また、外部メモリ２１１には、各種装置が実行する機能を実現するために必要な各種プログラム等が記憶されている。ＲＡＭ２０３は、ＣＰＵ２０１の主メモリ、ワークエリア等として機能する。
【００２７】
ＣＰＵ２０１は、処理の実行に際して必要なプログラム等をＲＡＭ２０３にロードして、プログラムを実行することで各種動作を実現するものである。
【００２８】
また、入力コントローラ２０５は、キーボードやマウス等のポインティングデバイスといった入力デバイス２０９からの入力を制御する。
【００２９】
ビデオコントローラ２０６は、ディスプレイ２１０等の表示装置への表示を制御する。表示装置はＣＲＴや液晶ディスプレイを想定するが、特にこれらに限らない。
【００３０】
メモリコントローラ２０７は、ハードディスクやフレキシブルディスク或いはＰＣＭＣＩＡカードスロットにアダプタを介して接続されるカード型メモリ等の外部メモリ２１１へのアクセスを制御する。外部メモリ２１１（記憶手段）は、ブートプログラム、ブラウザソフトウエア、各種のアプリケーション、フォントデータ、ユーザファイル、編集ファイル、各種データ等を記憶する。
【００３１】
通信Ｉ／Ｆコントローラ２０８は、ネットワークを介して、外部機器と接続・通信するものであり、ネットワークでの通信制御処理を実行する。例えば、ＴＣＰ／ＩＰを用いたインターネット通信等が可能である。
【００３２】
尚、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００３３】
本発明の各種装置が後述する各種処理を実行するために用いられる各種プログラム等は外部メモリ２１１に記録されており、必要に応じてＲＡＭ２０３にロードされることによりＣＰＵ２０１によって実行されるものである。さらに、本発明に係わるプログラムが用いる定義ファイルや各種情報テーブルは外部メモリ２１１に格納されている。
【００３４】
図３は、読影端末１０３と読影管理サーバ１０４の機能構成の一例を示す図である。尚、図３に示す機能構成はあくまで一例であり、用途や目的に応じて様々な構成例があるため、これに限定されない。また、各機能部が有する詳細な機能は、後述する各フローチャートにおいて説明する。
【００３５】
読影端末１０３は機能部として、通信制御部３０１と、表示制御部３０２と、入力制御部３０３と、変数制御部３０４と、レポート管理部３０５とを備える。
【００３６】
通信制御部３０１は、読影管理サーバ１０４やその他各種装置との情報の送受信を制御するための機能部である。通信制御部３０１の機能により、ネットワーク１０７を介して、読影管理サーバ１０４やその他各種装置に対して各種情報の取得要求を送信すると共に、取得要求に応じて読影管理サーバ１０４から送信された各種情報を受信する。また、通信制御部３０１は、読影医により作成された読影レポートを、読影端末１０３から読影管理サーバ１０４に送信することも可能である。
【００３７】
表示制御部３０２は、通信制御部３０１で受信した各種情報を読影端末１０３のディスプレイ２１０に表示するための機能部である。また、表示制御部３０２は、読影端末１０３のユーザによって入力された情報をディスプレイ２１０に表示制御すると共に、当該情報に応じて絞り込まれた所見名称や判定名称が表示制御される。
【００３８】
入力制御部３０３は、表示制御部３０２によって表示制御された画面に対する情報の入力を制御するための機能部である。尚、本実施形態でいう入力とは、テキストの入力や、プルダウンリストに含まれる情報の選択、一覧画面における情報の選択、ボタンの押下等、読影端末１０３を操作するユーザからの操作全般を含む。また、入力制御部３０３は、各種情報の入力受付も制御する。
【００３９】
変数制御部３０４は、読影端末１０３で各種処理を実行する際に用いる変数を制御するための機能部である。特に、変数の宣言、代入、参照といった変数の操作を行うことが可能である。
【００４０】
レポート管理部３０５は、読影端末１０３で読影を行った結果の読影レポートを読影管理サーバ１０４に送信するまで一時的に管理しておくための機能部である。レポート管理部３０５は、読影端末１０３のＲＡＭ２０３に読影レポートを管理するためのレポート管理テーブルを生成し、レポート管理テーブルに対するレコードの追加・更新・削除・検索等を行うことが可能である。レポート管理テーブルの詳細な説明は、後述する。
【００４１】
次に読影管理サーバ１０４は機能部として、通信制御部３１１と、読影依頼管理部３１２と、検査管理部３１３と、制御情報管理部３１４と、レポート管理部３１５とを備える。
【００４２】
通信制御部３１１は、読影端末１０３と、画像管理サーバ１０５と、データベースサーバ１０６と、その他各種装置との情報の送受信を制御するための機能部である。通信制御部３１１の機能により、ネットワーク１０７を介して、読影端末１０３からの各種情報の取得要求を受信すると共に、画像管理サーバ１０５及びデータベースサーバ１０６に記憶されている各種情報の取得要求を送信することができる。また、この取得要求に応じて画像管理サーバ１０５及びデータベースサーバ１０６から送信される各種情報を受信することもできる。
【００４３】
読影依頼管理部３１２は、依頼端末１０１から送信された読影依頼情報を管理するための機能部である。読影依頼管理部３１２の機能により、読影依頼情報がデータベースサーバ１０６のデータテーブル管理部３３１に記憶させる。また、必要に応じてデータベースサーバ１０６のデータテーブル管理部３３１に対して読影依頼情報の追加・更新・削除・検索等の指示を行うことができる。
【００４４】
検査管理部３１３は、依頼端末１０１から送信された医用画像ごとの検査を管理するための機能部である。検査管理部３１３は、医用画像に含まれるＤＩＣＯＭタグを参照し、医用画像を生成した検査に関する情報（以下、検査情報という。）を取得する。例えば、医用画像の識別情報や受診者の識別情報といった情報である。検査管理部３１３は、こうして取得した検査情報をデータベースサーバ１０６のデータテーブル管理部３３１に記憶させる。また、必要に応じてデータベースサーバ１０６のデータテーブル管理部３３１に対して検査情報の追加・更新・削除・検索等の指示を行うことができる。また、検査管理部３１３は、依頼端末１０１から送信された医用画像を検査画像として画像管理サーバ１０５の検査画像管理部３２１に記憶させる。また、必要に応じて画像管理サーバ１０５の検査画像管理部３２１に対して検査画像の追加・更新・削除・検索等の指示を行うことができる。以下、読影依頼がなされた読影対象の医用画像を検査画像という。
【００４５】
制御情報管理部３１４は、読影端末１０３の表示制御部３０２がディスプレイ２１０に表示する所見名称や判定名称、更には読影端末１０３のユーザから入力された情報に応じて所見名称や判定名称の表示を制御するための情報を管理するための機能部である。所見名称や判定名称、部位名称といった、選択肢として読影端末１０３のディスプレイ２１０に表示する情報（以下、入力コードという。）は、入力コードテーブルに格納されている。制御情報管理部３１４は、この入力コードテーブルをデータベースサーバ１０６のデータテーブル管理部３３１に記憶させている。必要に応じてデータベースサーバ１０６のデータテーブル管理部３３１に対して入力コードの追加・更新・削除・検索等の指示を行うことができる。同様に、読影端末１０３のユーザから入力された情報に応じて所見名称や判定名称の表示を制御するための情報（以下、表示制御情報という。）は、表示制御テーブルに格納されている。制御情報管理部３１４は、この表示制御テーブルをデータベースサーバ１０６のデータテーブル管理部３３１に記憶させている。必要に応じてデータベースサーバ１０６のデータテーブル管理部３３１に対して表示制御情報の追加・更新・削除・検索等の指示を行うことができる。入力コードテーブルと表示制御テーブルの詳細な説明は、後述する。
【００４６】
レポート管理部３１５は、読影端末１０３で作成された読影レポートを管理するための機能部である。レポート管理部３１５は、読影端末１０３で作成されたレポート管理テーブルを取得し、これをデータベースサーバ１０６のデータテーブル管理部３３１に記憶させる。そして、必要に応じてデータベースサーバ１０６のデータテーブル管理部３３１に対して読影レポートの追加・更新・削除・検索等の指示を行うことができる。
【００４７】
以上が、読影端末１０３及び読影管理サーバ１０４の機能構成の一例である。以下、フローチャートを用いて本発明の処理の流れについて説明を行うが、読影管理サーバ１０４が画像管理サーバ１０５及びデータベースサーバ１０６に対する各種情報の追加・更新・削除・検索等の指示を行う詳細な処理については、省略する。すなわち、単に読影管理サーバ１０４が各種情報を追加する、更新する、削除する、取得する等の記載を行う。つまり、これらは、画像管理サーバ１０５及び／またはデータベースサーバ１０６に対して読影管理サーバ１０４が指示を行うことにより、これら装置が協働して実現されるものであることを意味する。
【００４８】
図４は、ワークリスト画面６００を表示する処理の流れの一例を示すフローチャートである。以下説明するＳ４０１乃至Ｓ４０３、Ｓ４０５乃至Ｓ４０７の各ステップは、読影管理サーバ１０４のＣＰＵ２０１が各機能部を動作することにより実行される処理である。また、Ｓ４０４、Ｓ４０８、Ｓ４０９の各ステップは、読影端末１０３のＣＰＵ２０１が各機能部を動作することにより実行される処理である。
【００４９】
ステップＳ４０１では、読影管理サーバ１０４の通信制御部３１１は、依頼端末１０１から送信された読影依頼情報と検査画像とを受信する。読影依頼情報には、依頼端末１０１を操作するユーザが入力した読影依頼に関する情報（受診者数、依頼施設名、検査種等）が含まれている。依頼施設のユーザは、読影依頼情報を送信することで読影医に対する読影依頼を行う。また、検査画像は、依頼施設のモダリティから直接受信してもよい。
【００５０】
ステップＳ４０２では、読影管理サーバ１０４の読影依頼管理部３１２は、ステップＳ４０１で受信した読影依頼情報を読影依頼管理テーブルに格納する。具体的には、データベースサーバ１０６が管理している読影依頼管理テーブルに、新たな読影依頼としてレコードを追加し、受信した読影依頼を当該レコードに格納する。
【００５１】
読影依頼管理テーブルの一例を図５（ａ）に示す。図５（ａ）に示す読影依頼管理テーブル５００は、依頼ＩＤ５０１、受診者数５０２、状態５０３、依頼施設名５０４、検査種５０５、受取日５０６、割当日５０７、納期日５０８、読影医５０９という項目を備える。ステップＳ４０２で読影依頼情報を格納すると、新たにレコードが作成され、依頼ＩＤ５０１に読影依頼管理テーブル５００において一意な識別情報が格納される。そして、読影依頼情報に含まれる受診者数、依頼施設名、検査種を対応する項目に格納し、状態５０３を“未読影”にし、受取日５０６に現在の日付を格納する。
【００５２】
また、ステップＳ４０２では、読影管理サーバ１０４の検査管理部３１３は、ステップＳ４０１で受信した検査画像を画像管理サーバ１０５に格納すると共に、検査画像のＤＩＣＯＭタグから取得した画像ＩＤや受診者ＩＤを検査管理テーブルに格納する。
【００５３】
検査管理テーブルの一例を図５（ｂ）に示す。図５（ｂ）に示す検査管理テーブル５１０は、依頼ＩＤ５１１、画像ＩＤ５１２、受診者ＩＤ５１３という項目を備える。依頼ＩＤ５１１には、検査画像に対応する読影依頼情報の依頼ＩＤ５０１を格納し、更に検査画像から取得した画像ＩＤと受診者ＩＤとを対応する項目に格納する。複数の検査画像があれば、検査画像ごとに検査管理テーブル５１０にレコードを生成し、各種情報を格納する。
【００５４】
ステップＳ４０３では、読影管理サーバ１０４の読影依頼管理部３１２は、読影依頼管理テーブル５００に格納された読影依頼のうち、読影医５０９が空欄、つまり読影を担当する読影医が決まっていない読影依頼を抽出する。そして、抽出した読影依頼を担当する読影医を読影医のスケジュールや専門性を考慮して決定する。読影を担当する読影医が決定されると、その読影医の名前を読影医５０９に格納する。また、読影依頼管理テーブル５００の割当日５０７に読影医を決定した日付を格納し、更に納期日５０８に所定のルールに応じて決定される、読影レポートの納期日を格納する。
【００５５】
読影医が決定した後、読影を担当する読影医は読影を開始するべく、自身に割り振られた読影依頼を表示するよう、読影端末１０３に指示する。すると、ステップＳ４０４では、読影端末１０３の通信制御部３０１は、読影端末１０３を操作する読影医に割り振られた読影依頼に対応する読影依頼情報の取得要求を読影管理サーバ１０４に送信する。このとき、読影医を識別するための情報（例えば、ユーザＩＤとパスワード等）を合わせて送信する。
【００５６】
ステップＳ４０５では、読影管理サーバ１０４の通信制御部３１１は、読影端末１０３から送信された、読影依頼情報の取得要求を受信する。ステップＳ４０６では、読影管理サーバ１０４の読影依頼管理部３１２は、読影端末１０３を操作する読影医に割り振られた読影依頼に対応する読影依頼情報を読影依頼管理テーブル５００から取得する。具体的には、ステップＳ４０５で受信した読影医を識別するための情報を用いて、読影依頼管理テーブル５００の読影医５０９を検索し、ヒットしたレコードの読影依頼情報を取得すればよい。
【００５７】
ステップＳ４０７では、読影管理サーバ１０４の通信制御部３１１は、ステップＳ４０６で取得した読影依頼情報を読影端末１０３に送信する。ステップＳ４０８では、読影端末１０３の通信制御部３０１は、読影管理サーバ１０４から送信された読影依頼情報を受信する。そして、ステップＳ４０９では、読影端末１０３の表示制御部３０２は、受信した読影依頼情報を含むワークリスト画面をディスプレイ２１０に表示する。
【００５８】
図６にワークリスト画面の画面構成の一例を示す。ワークリスト画面６００は、読影端末１０３を操作する読影医に割り振られた読影依頼の一覧が表示される画面である。図６に示すワークリスト画面６００では、“読影医Ａ”に割り振られた読影依頼が、読影依頼リスト６０１に一覧表示されている。ワークリスト画面６００に表示する情報は読影依頼情報に限らず、読影依頼情報が含まれる読影依頼管理テーブル５００のレコードの情報（例えば、状態５０３、受取日５０６等）を表示してもよい。次に、このワークリスト画面６００を操作し、検査リスト画面を表示する処理の流れについて説明する。
【００５９】
図７は、検査リスト画面８００を表示する処理の流れの一例を示すフローチャートである。以下説明するＳ７０１、Ｓ７０２、Ｓ７０６乃至Ｓ７０８、Ｓ７１２、Ｓ７１３の各ステップは、読影端末１０３のＣＰＵ２０１が各機能部を動作することにより実行される処理である。また、Ｓ７０３乃至Ｓ７０５、Ｓ７０９乃至Ｓ７１１の各ステップは、読影管理サーバ１０４のＣＰＵ２０１が各機能部を動作することにより実行される処理である。
【００６０】
ステップＳ７０１では、読影端末１０３の入力制御部３０３は、ワークリスト画面６００の読影依頼リスト６０１でいずれかの読影依頼が選択された状態で、ワークリスト画面６００が備える読影開始ボタン６０２が押下されたか否かを判定する。読影開始ボタン６０２が押下されたと判定した場合には、ステップＳ７０２に処理を進める。読影開始ボタン６０２が押下されたと判定しなかった場合、すなわち読影開始ボタン６０２が押下されていない場合には、ステップＳ７０１を繰り返し実行する。
【００６１】
ステップＳ７０２では、読影端末１０３の通信制御部３０１は、読影依頼リスト６０１で選択された読影依頼に対応する検査情報の取得要求を読影管理サーバ１０４に送信する。
【００６２】
ステップＳ７０３では、読影管理サーバ１０４の通信制御部３１１は、読影端末１０３から送信された、検索情報の取得要求を受信する。そして、ステップＳ７０４では、読影管理サーバ１０４の検査管理部３１３は、読影依頼リスト６０１で選択された読影依頼に対応する検査情報を、検査管理テーブル５１０から取得する。具体的には、読影依頼リスト６０１で選択された読影依頼の依頼ＩＤ５０１に対応する依頼ＩＤ５１１を有するレコード（検査情報）を検査管理テーブル５１０で検索し、ヒットしたすべてのレコードを取得する。集団検診では１回の集団検診で複数の受診者を撮像しているので、１つの読影依頼でも複数の検査情報が存在する場合がある。そのため、ここではヒットしたすべてのレコードを取得している。
【００６３】
ステップＳ７０５では、読影管理サーバ１０４の通信制御部３１１は、ステップＳ７０４で取得したすべての検査情報を読影端末１０３に送信する。ステップＳ７０６では、読影端末１０３の通信制御部３０１は、読影管理サーバ１０４から送信された検査情報を受信する。そして、ステップＳ７０７では、読影端末１０３の表示制御部３０２は、受信した検査情報を含む検査リスト画面をディスプレイ２１０に表示する。
【００６４】
図８に検査リスト画面の画面構成の一例を示す。検査リスト画面８００は、ワークリスト画面６００で選択した読影依頼に対応する各検査のリストが表示される画面である。本実施形態は、１人の受診者につき１回検査を行う集団検診を想定しているため、受診者ごと、すなわち検査ごとのレコードが検査リスト８０１に表示されている。画像表示ボタン８０２を押下することで、検査リスト８０１に表示された各検査の検査画像が表示され、検査ごとに所見の入力を受け付けることになる。
【００６５】
ステップＳ７０８では、読影端末１０３の通信制御部３０１は、検査リスト８０１に表示された各検査の検査画像の取得要求を読影管理サーバ１０４に送信する。各検査の画像ＩＤ５１２が示す検査画像の取得要求を送信すればよい。
【００６６】
ステップＳ７０９では、読影管理サーバ１０４の通信制御部３１１は、読影端末１０３から送信された、検査画像の取得要求を受信する。そして、ステップＳ７１０では、読影管理サーバ１０４の検査管理部３１３は、各検査の検査画像を画像管理サーバ１０５から取得する。各検査の画像ＩＤ５１２を有する検査画像を取得するように動作すればよい。
【００６７】
ステップＳ７１１では、読影管理サーバ１０４の通信制御部３１１は、ステップＳ７１０で取得した検査画像を読影端末１０３に送信する。ステップＳ７１２では、読影端末１０３の通信制御部３０１は、読影管理サーバ１０４から送信された検査画像を受信する。
【００６８】
ステップＳ７１３では、読影端末１０３のレポート管理部３０５は、ＲＡＭ２０３にレポート管理テーブルを生成し、各検査に対応する新規レコードをレポート管理テーブルに追加する。
【００６９】
レポート管理テーブルのテーブル構成の一例を図９に示す。図９のレポート管理テーブル９００は、読影で入力された所見に関する情報が格納されるデータテーブルである。レポート管理テーブル９００は、レポートＩＤ９０１、依頼ＩＤ９０２、画像ＩＤ９０３、受診者ＩＤ９０４、総合判定９０５、第一の部位９０６、第二の部位９０７、所見９０８、判定９０９、所見テキスト９１０という項目を備える。レポートＩＤ９０１は、読影レポートごとに割り振られる一意な識別情報である。依頼ＩＤ９０２、画像ＩＤ９０３、受診者ＩＤ９０４は、検査情報に対応する項目である。総合判定９０５は、その読影レポートに入力された１または複数の判定のうち、最も悪い判定が格納される。
【００７０】
本実施形態では、“Ａ：異常なし”が最もよい判定であり、“Ｂ：軽度変化”、“Ｃ：経過観察”、“Ｄ：要精密”の順に判定が悪くなっていく。例えば、１つの検査画像に複数の異常が見つかれば、複数の所見を入力することになる。つまり、読影レポートに“Ｃ：経過観察”という判定と“Ｄ：要精密”という判定の２つが含まれていた場合には、“Ｄ：要精密”が総合判定９０５に格納されることになる。
【００７１】
第一の部位９０６、第二の部位９０７、所見９０８、判定９０９、所見テキスト９１０は、所見入力画面で入力された各種情報が格納される項目である。１つの読影で複数の異常が見つかった場合には、複数の所見が入力されるので、図９のレポートＩＤ９０１が“Ｒ００１”のレコードのように、第一の部位９０６以降が複数行に分かれる。つまり、複数の所見が１つの読影レポートに紐づいて管理されるということである。
【００７２】
次に、この検査リスト画面８００を操作し、所見入力画面を表示し、読影レポートを作成する処理の流れについて説明する。
【００７３】
図１０は、所見入力画面１３００を表示し、読影レポートを作成する処理の流れの一例を示すフローチャートである。以下説明するＳ１００１、Ｓ１００２、Ｓ１００６乃至Ｓ１０１５の各ステップは、読影端末１０３のＣＰＵ２０１が各機能部を動作することにより実行される処理である。また、Ｓ１００３乃至Ｓ１００５、Ｓ１０１６、Ｓ１０１７の各ステップは、読影管理サーバ１０４のＣＰＵ２０１が各機能部を動作することにより実行される処理である。
【００７４】
ステップＳ１００１では、読影端末１０３の入力制御部３０３は、検査リスト画面８００が備える画像表示ボタン８０２が押下されたか否かを判定する。画像表示ボタン８０２が押下されたと判定した場合には、ステップＳ１００２に処理を進める。画像表示ボタン８０２が押下されたと判定しなかった場合、すなわち画像表示ボタン８０２が押下されていない場合には、ステップＳ１００１を繰り返し実行する。
【００７５】
ステップＳ１００２では、読影端末１０３の通信制御部３０１は、入力コードテーブルと表示制御テーブルの取得要求を、読影管理サーバ１０４に送信する。所見入力画面では、読影端末１０３のユーザからの選択操作によって容易に読影レポートを作成するために、その選択候補としての部位名称、所見名称、判定名称が必要である。そのため、ステップＳ１００２では、これらが格納された入力コードテーブルの取得要求を送信している。また、単にこれらを選択候補として表示するだけでは、読影医が入力したいものを探す手間が生じてしまう。そこで、これらの選択候補を絞り込むためのルールを示す表示制御テーブルも合わせて読影管理サーバ１０４に要求する。
【００７６】
ステップＳ１００３では、読影管理サーバ１０４の通信制御部３１１は、入力コードテーブルと表示制御テーブルの取得要求を読影端末１０３から受信する。そして、ステップＳ１００４では、読影管理サーバ１０４の制御情報管理部３１４は、入力コードテーブルと表示制御テーブルとをデータベースサーバ１０６から取得する。ここで、入力コードテーブルと表示制御テーブルについて説明を行う。
【００７７】
図１１は、入力コードテーブルのテーブル構成の一例を示す図である。図１１に示すように、入力コードテーブル１１００は、第一の部位コードテーブル１１１０と、第二の部位コードテーブル１１２０と、所見コードテーブル１１３０と、判定コードテーブル１１４０とを総称したものである。
【００７８】
まず、図１１（ａ）に示す第一の部位コードテーブル１１１０は、所見を入力する部位が位置する方向の名称が格納されるデータテーブルである。第一の部位コードテーブル１１１０は、第一の部位名称１１１１と第一の部位順序１１１２という項目を備えている。第一の部位名称１１１１には当該方向を示す名称が格納されており、第一の部位順序１１１２には第一の部位名称１１１１が所見入力画面に表示される際の優先順位が格納されている。
【００７９】
図１１（ｂ）に示す第二の部位コードテーブル１１２０は、所見を入力する解剖学的な部位の名称が格納されるデータテーブルである。第二の部位コードテーブル１１２０は、第二の部位名称１１２１と第二の部位順序１１２２という項目を備えている。第二の部位名称１１２１には当該解剖学的な部位の名称が格納されており、第二の部位順序１１２２には第二の部位名称１１２１が所見入力画面に表示される際の優先順位が格納されている。
【００８０】
図１１（ｃ）に示す所見コードテーブル１１３０は、所見の名称が格納されるデータテーブルである。所見コードテーブル１１３０は、所見名称１１３１と所見順序１１３２と所見タブ１１３３という項目を備えている。所見名称１１３１には所見の名称が格納されており、所見順序１１３２には所見名称１１３１が所見入力画面に表示される際の優先順位が格納されている。この所見順序１１３２は、読影医がよく使う所見名称１１３１が上位に来るようにあらかじめ設定しておく。具体的には、現在までに読影が完了した読影レポートを集計し、読影医によって入力された回数若しくは頻度を記憶しておく。そして当該回数若しくは頻度が多い順に所見名称１１３１をソートし、このソートされた順番（表示順）を所見順序１１３２として設定する。こうすることにより、読影医がよく使うであろう所見名称１１３１が優先的に表示されるので、読影医が所見名称１１３１を見つけやすくなる。更に、このソートは、すべての読影医が読影した読影レポートを対象に集計してもよいし、特定の読影医が読影した読影レポートを対象に集計してもよいし、読影端末１０３を操作している読影医の読影レポートを対象に集計してもよい。
【００８１】
所見タブ１１３３は、所見名称１１３１が表示されるタブのＩＤが格納されている。所見の名称は数多く存在するので、所見名称１１３１を複数のタブに分類し、タブごとに所見名称１１３１の表示を切り替えられるようにするべく、所見タブ１１３３を設けている。
【００８２】
図１１（ｄ）に示す判定コードテーブル１１４０は、所見の判定結果を示す名称が格納されるデータテーブルである。判定コードテーブル１１４０は、判定名称１１４１と判定順序１１４２という項目を備える。判定名称１１４１（判定区分）には判定の名称が格納されており、判定順序１１４２には判定名称１１４１が所見入力画面に表示される際の優先順位が格納されている。
【００８３】
図１１に示す入力コードテーブル１１００はあくまで一例であり、用途や目的に応じて様々な構成例があるため、これに限定されない。
【００８４】
次に図１２は、表示制御テーブル１２００のテーブル構成の一例を示す図である。図１２に示すように、表示制御テーブル１２００は、第一の表示制御テーブル１２１０と、第二の表示制御テーブル１２２０と、第三の表示制御テーブル１２３０とを総称したものである。
【００８５】
図１２（ａ）の第一の表示制御テーブル１２１０は、第一の部位名称１１１１と所見名称１１３１との組み合わせに応じた表示制御ルールを規定するデータテーブルである。このデータテーブルは、第一の部位名称の列に“○”が付いている所見名称は、当該第一の部位名称が選択された場合に当該所見名称が表示されるということを示している。つまり、このデータテーブルは、第一の部位名称の列に“○”が付いていない所見名称は、当該第一の部位名称が選択された場合に当該所見名称が非表示になるということを示している。例えば、所見入力画面で第一の部位名称として“左”が選択された場合には、所見入力画面で“奇静脈”以外の所見名称が表示され、“奇静脈”という所見名称が非表示になる。
【００８６】
また、図１２（ｂ）の第二の表示制御テーブル１２２０は、第二の部位名称１１２１と所見名称１１３１との組み合わせに応じた表示制御ルールを規定するデータテーブルである。第一の表示制御テーブル１２１０と同様に、このデータテーブルは、第二の部位名称の列に“○”が付いている所見名称は、当該第二の部位名称が選択された場合に当該所見名称が表示されるということを示している。つまり、このデータテーブルは、第二の部位名称の列に“○”が付いていない所見名称は、当該第二の部位名称が選択された場合に当該所見名称が非表示になるということを示している。例えば、所見入力画面で第二の部位名称として“上肺野”が選択された場合には、所見入力画面で“偏位”、“心拡大”、“横隔膜挙上”、“骨折”以外の所見名称が表示され、これらの所見名称が非表示になる。
【００８７】
これらの第一の表示制御テーブル１２１０と第二の表示制御テーブル１２２０とが規定するルールの論理積（ＡＮＤ条件）によって、所見入力画面に表示する所見名称の表示制御を行う。つまり、第一の表示制御テーブル１２１０で所見名称を表示制御した上で、更に第二の表示制御テーブル１２２０で表示制御するということである。例えば、所見入力画面で第一の部位名称として“左”、第二の部位名称として“上肺野”が選択された場合には、“奇静脈”、“偏位”、“心拡大”、“横隔膜挙上”、“骨折”以外の所見名称が表示され、これらの所見名称が非表示になる。
【００８８】
そして、図１２（ｃ）の第三の表示制御テーブル１２３０は、判定名称１１４１と所見名称１１３１との組み合わせに応じた表示制御ルールを規定するデータテーブルである。このデータテーブルは、所見名称の行に“○”が付いている判定名称は、当該所見名称が選択された場合に当該判定名称が表示されるということを示している。つまり、このデータテーブルは、所見名称の行に“○”が付いていない判定名称は、当該所見名称が選択された場合に当該判定名称が非表示になるということを示している。例えば、所見入力画面で所見名称として“肺気腫”が選択された場合には、“Ａ：異常なし”以外の判定名称が表示され、“Ａ：異常なし”という所見名称が非表示になる。このように、判定名称についても、選択された所見名称に応じて表示制御することで、誤った判定名称の選択を抑止できる。
【００８９】
図１２に示す表示制御テーブル１２００はあくまで一例であり、用途や目的に応じて様々な構成例があるため、これに限定されない。
【００９０】
図１０に説明を戻す。ステップＳ１００５では、読影管理サーバ１０４の通信制御部３１１は、取得した入力コードテーブル１１００と表示制御テーブル１２００とを読影端末１０３に送信する。
【００９１】
ステップＳ１００６では、読影端末１０３の通信制御部３０１は、読影管理サーバ１０４から送信された入力コードテーブル１１００と表示制御テーブル１２００とを受信する。
【００９２】
ステップＳ１００７では、読影端末１０３の表示制御部３０２は、所見に関する情報の入力を受付可能な所見入力画面をディスプレイ２１０に表示する。
【００９３】
所見入力画面の画面構成の一例を図１３に示す。図１３に示す所見入力画面１３００は、検査画像を読影した結果を入力するための画面である。所見入力画面１３００は、検査画像を表示すると共に、所見の入力を受け付けるためのダイアログを表示する。このダイアログは自由に表示位置を移動することができる。また、ダイアログは、所見を入力するための各種入力部品を備えている。
【００９４】
第一の部位プルダウンリスト１３０１と、第二の部位プルダウンリスト１３０２とは、それぞれ第一の部位名称１１１１と第二の部位名称１１２１との選択を受付可能なプルダウンリストである。所見リスト１３０３は、所見名称１１３１の選択を受付可能な選択領域である。所見リスト１３０３は複数のタブに分けられており、タブごとに異なる所見名称が表示できるようになっている。図１３の画面例では、所見リスト１３０３が４つのタブに分けられている。判定リスト１３０４は、判定名称１１４１の選択を受付可能な選択領域である。所見テキスト入力フォーム１３０５は、追記事項として申し送りたい内容をテキストで入力可能な入力フォームである。所見表示欄１３０７は、所見追加ボタン１３０６が押下された場合に、第一の部位プルダウンリスト１３０１、第二の部位プルダウンリスト１３０２、所見リスト１３０３、判定リスト１３０４に入力された内容が表示される表示領域である。所見追加ボタン１３０６が押下される度に、所見表示欄１３０７に行が追加される。そして、決定ボタン１３０８が押下されると、入力された各種所見の内容がレポート管理テーブル９００に登録され、未読の検査画像があれば表示される。
【００９５】
ステップＳ１００８では、読影端末１０３の変数制御部３０４は、変数Ｍを宣言し、変数Ｍに０を代入する。そして、ステップＳ１００９では、読影端末１０３の変数制御部３０４は、変数Ｍをインクリメントする。すなわち、変数Ｍに１を加算する。
【００９６】
ステップＳ１０１０では、読影端末１０３の表示制御部３０２は、ステップＳ７１２で受信した検査画像のうち、レポート管理テーブル９００のＭ番目のレコードに対応する検査画像を取得し、ステップＳ１００７で表示された所見入力画面にこれを表示する。具体的には、ステップＳ７１２で受信した検査画像の中から、Ｍ番目のレコードの画像ＩＤ９０３と同じＩＤを有する検査画像を検索し、これを取得して表示すればよい。
【００９７】
ステップＳ１０１１では、読影端末１０３は、所見入力処理を実行する。所見入力処理は、所見入力画面１３００に検査画像に関する所見を入力する一連の処理である。所見入力処理の詳細は、後述する図１５Ａ及び図１５Ｂに示す。所見入力処理により、検査画像に関する所見がレポート管理テーブル９００に登録される。
【００９８】
ステップＳ１０１２では、読影端末１０３の表示制御部３０２は、検査リスト画面８００の検査リスト８０１に、ステップＳ１０１１の所見入力処理によって入力された所見の内容を表示する。図１４に、ステップＳ１０１２で入力された所見の内容を検査リスト８０１に表示した結果の検査リスト画面８００の画面例を示す。図１４に示すように、レポート管理テーブル９００の総合判定９０５を検査リスト８０１の総合判定の列に、第一の部位９０６、第二の部位９０７、所見９０８、判定９０９を検査リスト８０１の入力所見の列にそれぞれ表示する。更には、所見テキスト９１０を検査リスト８０１の所見テキストの列に表示する。このようにして、読影医が入力した所見の内容を受診者ごと、すなわち検査ごとに一覧表示する。
【００９９】
ステップＳ１０１３では、読影端末１０３の変数制御部３０４は、変数Ｍに格納されている値と、レポート管理テーブル９００に格納されているレコードの数、すなわち検査数が一致するか否かを判定する。これが一致するということは、すべての検査画像を検査したということになる。一致すると判定した場合には、ステップＳ１０１４に処理を進める。一致すると判定しなかった場合、すなわち未読の検査画像が存在する場合には、ステップＳ１００９に処理を戻し、次の検査画像に関する所見の入力を受け付ける。
【０１００】
ステップＳ１０１４では、読影端末１０３の入力制御部３０３は、検査リスト画面８００が備える完了ボタン８０３が押下されたか否かを判定する。完了ボタン８０３が押下されたと判定した場合には、ステップＳ１０１５に処理を進める。完了ボタン８０３が押下されたと判定しなかった場合、すなわち完了ボタン８０３が押下されていない場合には、ステップＳ１０１４を繰り返し実行する。
【０１０１】
ステップＳ１０１５では、読影端末１０３の通信制御部３０１は、所見が入力されたレポート管理テーブル９００を読影管理サーバ１０４に送信する。ステップＳ１０１６では、読影管理サーバ１０４の通信制御部３１１は、読影端末１０３から送信されたレポート管理テーブル９００を受信する。そして、ステップＳ１０１７では、読影管理サーバ１０４のレポート管理部３１５は、ステップＳ１０１７で受信したレポート管理テーブル９００をデータベースサーバ１０６に送信し、データベースサーバ１０６に記憶させる。
【０１０２】
以上で、読影結果の登録が完了する。つまり、依頼端末１０１から読影管理サーバ１０４に読影結果の表示要求を送信すると、読影管理サーバ１０４がレポート管理テーブル９００を取得し、読影結果である所見の内容を依頼端末１０１に送信する。そして読影結果を受信した依頼端末１０１は、読影結果を依頼端末１０１のディスプレイ２１０に表示できるようになる。
【０１０３】
次に、所見入力処理の詳細について説明する。所見入力は、なるべく容易に入力できることが望ましい。所見入力に時間がかかってしまい、検査画像の読影に時間を割くことできなくなってしまうと、読影の精度が低下してしまう可能性があるためである。集団検診のように読影する検査画像の枚数が多い場合には、これが特に重要となる。そこで、本実施形態では、所見名称や判定名称を選択するだけで所見入力を可能にすると共に、これらの選択肢を見つけやすくするために、読影医が使用する頻度の高い選択肢が優先的に表示されるような順序で当該選択肢を表示する。更には、選択された所見名称に応じて、選択可能な判定名称を絞り込むことで、誤った判定が入力されないように制御する。これらにより、読影医の読影業務を支援することが可能となる。以下、所見入力処理の流れについて説明する。
【０１０４】
図１５Ａ及び図１５Ｂは、所見入力処理の詳細な処理の流れの一例を示すフローチャートである。以下説明するＳ１５０１乃至Ｓ１５２５の各ステップは、読影端末１０３のＣＰＵ２０１が各機能部を動作することにより実行される処理である。
【０１０５】
まず、図１５Ａから説明を行う。ステップＳ１５０１では、読影端末１０３の入力制御部３０３は、所見入力画面１３００の判定リスト１３０４において、“Ａ：異常なし”が選択されたか否かを判定する。本実施形態において、“Ａ：異常なし”は、表示されている検査画像を読影した結果、異常な態様が見当たらない場合に選択される判定名称１１４１である。ステップＳ１５０１では、こうした判定が読影医から選択されたか否かを判定する。“Ａ：異常なし”が選択されたと判定した場合には、図１５ＢのステップＳ１５１８に処理を進める。“Ａ：異常なし”が選択されたと判定されなかった場合、すなわち“Ａ：異常なし”が選択されていない場合には、ステップＳ１５０２に処理を進める。
【０１０６】
ステップＳ１５０２では、読影端末１０３の入力制御部３０３は、所見入力画面１３００の第一の部位プルダウンリスト１３０１が押下されたか否かを判定する。第一の部位プルダウンリスト１３０１が押下されたと判定した場合には、ステップＳ１５０３に処理を進める。第一の部位プルダウンリスト１３０１が押下されたと判定しなかった場合、すなわち、第一の部位プルダウンリスト１３０１が押下されていない場合には、ステップＳ１５０１に処理を戻す。
【０１０７】
ステップＳ１５０３では、読影端末１０３の表示制御部３０２は、第一の部位プルダウンリスト１３０１のプルダウンリストを展開し、第一の部位名称１１１１を一覧表示し、これに対する選択を受け付ける。そして、読影端末１０３の入力制御部３０３は、ユーザからの操作により指示された第一の部位名称を選択する。
【０１０８】
ステップＳ１５０４では、読影端末１０３の入力制御部３０３は、所見入力画面１３００の第二の部位プルダウンリスト１３０２が押下されたか否かを判定する。第二の部位プルダウンリスト１３０２が押下されたと判定した場合には、ステップＳ１５０５に処理を進める。第二の部位プルダウンリスト１３０２が押下されたと判定しなかった場合、すなわち、第二の部位プルダウンリスト１３０２が押下されていない場合には、ステップＳ１５０４を繰り返し実行する。
【０１０９】
ステップＳ１５０５では、読影端末１０３の表示制御部３０２は、第二の部位プルダウンリスト１３０２のプルダウンリストを展開し、第二の部位名称１１２１を一覧表示し、これに対する選択を受け付ける。そして、読影端末１０３の入力制御部３０３は、ユーザからの操作により指示された第二の部位名称を選択する。
【０１１０】
このように、ステップＳ１５０２乃至ステップＳ１５０５の各ステップを実行することにより、異常が確認された解剖学的部位の位置（すなわち、第一の部位名称と第二の部位名称）を読影医であるユーザが指定できる。
【０１１１】
ステップＳ１５０６では、読影端末１０３の変数制御部３０４は、変数Ｎを宣言し、変数Ｎに０を代入する。そして、ステップＳ１５０７では、読影端末１０３の変数制御部３０４は、変数Ｎをインクリメントする。すなわち、変数Ｎに１を加算する。
【０１１２】
ステップＳ１５０８では、読影端末１０３の表示制御部３０２は、所見入力画面１３００の所見リスト１３０３が備えるＮ番目のタブに表示する所見名称１１３１を所見コードテーブル１１３０から取得する。具体的には、変数Ｎが示す値と一致する値が所見タブ１１３３に格納されているレコードを所見コードテーブル１１３０で特定し、特定したレコードの所見名称１１３１をすべて取得すればよい。
【０１１３】
ステップＳ１５０９では、読影端末１０３の表示制御部３０２は、ステップＳ１５０８で取得した所見名称１１３１を、Ｓ１５０３及びＳ１５０５で選択された第一の部位名称１１１１と第二の部位名称１１２１とに応じて絞り込む。具体的に説明する。まず、ステップＳ１５０８で取得した所見名称１１３１と、ステップＳ１５０３で選択された第一の部位名称１１１１との組み合わせについて、ステップＳ１００６で受信した第一の表示制御テーブル１２１０において“○”が付いているかどうかを確認する。“○”が付いていない組み合わせの所見名称１１３１は表示対象から除外する。そして、表示対象として残った所見名称１１３１と、ステップＳ１５０５で選択された第二の部位名称１１２１との組み合わせについて、ステップＳ１００６で受信した第二の表示制御テーブル１２２０において“○”が付いているかどうかを確認する。“○”が付いていない組み合わせの所見名称１１３１は表示対象から除外する。これら２回の絞り込みによって残った所見名称１１３１が所見リスト１３０３のＮ番目のタブに表示される所見名称である。
【０１１４】
ステップＳ１５１０では、読影端末１０３の変数制御部３０４は、変数Ｎに格納されている値と、所見リスト１３０３のタブの数とが一致するか否かを判定する。すなわち、すべてのタブに対してステップＳ１５０８及びステップＳ１５０９が実行されたか否かを判定する。一致すると判定した場合には、ステップＳ１５１１に処理を進める。一致すると判定しなかった場合、すなわち未処理のタブが存在する場合には、ステップＳ１５０７に処理を戻す。このようにして、所見リスト１３０３のタブごとに、当該タブに属する所見名称を、選択された第一の部位名称及び第二の部位名称によって絞り込む。
【０１１５】
ステップＳ１５１１では、読影端末１０３の表示制御部３０２は、ステップＳ１５０９で表示対象として絞り込まれた所見名称１１３１を、所見コードテーブル１１３０の所見順序１１３２が示す優先順位に従ってタブごとにソートする。そして、ステップＳ１５１２では、読影端末１０３の表示制御部３０２は、現在選択されているタブに、ステップＳ１５１１でソートされた、当該タブに属する所見名称を所見リスト１３０３に表示する。
【０１１６】
ここで、ステップＳ１５０２乃至ステップＳ１５１２の各ステップについて、図１６に示す所見入力画面１３００を用いて詳細に説明する。まず、ステップＳ１５０３で第一の部位プルダウンリスト１３０１から第一の部位名称１１１１として“右”が選択されたとする。更に、ステップＳ１５０５で第二の部位プルダウンリスト１３０２から第二の部位名称１１２１として“上肺野”が選択されたとする。すると、ステップＳ１５０８で所見コードテーブル１１３０からすべての所見名称１１３１が取得され、ステップＳ１５０９で所見リスト１３０３のタブごとに表示対象の絞り込みが行われる。ここではタブ“１”を例にとって説明する。
【０１１７】
タブ“１”に属する所見名称１１３１は、図１１の所見コードテーブル１１３０を参照すると、“ブラ”、“結節性病変”、“肺気腫”、“偏位”、“ペースメーカー”、“心拡大”の６つが取得できる。そして、第一の表示制御テーブル１２１０を参照して、これらの所見名称と第一の部位名称として選択された“右”との組み合わせで、“○”が付いていない所見名称を表示対象から除外する。これら６つについては、いずれも“○”が付いているのでこの場合は表示対象から除外するものはない。更に、第二の表示制御テーブル１２２０を参照して、これらの所見名称と第二の部位名称として選択された“上肺野”との組み合わせで、“○”が付いていない所見名称を表示対象から除外する。図１２（ｂ）の第二の表示制御テーブル１２２０を参照すると、これら６つのうち、“偏位”と“心拡大”については、“上肺野”との組み合わせにおいて“○”が付いていないことがわかるので、この２つを表示対象から除外する。つまり、タブ“１”に属する所見名称のうち、絞り込みによって表示対象として残ったのは、“ブラ”、“結節性病変”、“肺気腫”、“ペースメーカー”の４つとなる。よって、図１６に示すように、これらを所見リスト１３０３のタブ“１”に表示する。他のタブについても同様である。
【０１１８】
図１５Ａの説明に戻る。ステップＳ１５１３では、読影端末１０３の入力制御部３０３は、ユーザからの操作に応じて、所見リスト１３０３に表示されたいずれかの所見名称を選択する。
【０１１９】
図１５Ｂに説明を移す。ステップＳ１５１４では、読影端末１０３の表示制御部３０２は、判定コードテーブル１１４０の判定名称１１４１を、ステップＳ１５１３で選択された所見名称に応じて絞り込む。具体的に説明する。まず、判定コードテーブル１１４０から取得した判定名称１１４１と、ステップＳ１５１３で選択された所見名称との組み合わせについて、ステップＳ１００６で受信した第三の表示制御テーブル１２３０において“○”が付いているかどうかを確認する。“○”が付いていない組み合わせの判定名称１１４１は表示対象から除外する。この絞り込みによって残った判定名称１１４１が判定リスト１３０４に表示される判定名称である。
【０１２０】
ステップＳ１５１５では、読影端末１０３の表示制御部３０２は、判定リスト１３０４にステップＳ１５１４で絞り込んだ判定名称１１４１を表示する。本実施形態では、あらかじめ判定リスト１３０４にすべての判定名称１１４１が表示されているので、ステップＳ１５１４における絞り込みによって除外された判定名称１１４１を非表示にするよう制御する。つまり、ステップＳ１５１４における絞り込みによって除外された判定名称と除外されなかった判定名称とを識別可能に表示するということである。
【０１２１】
ここで、ステップＳ１５１３乃至ステップＳ１５１５の各ステップについて、図１７に示す所見入力画面１３００を用いて詳細に説明する。まず、ステップＳ１５１３で所見リスト１３０３から所見名称１１３１として“肺気腫”が選択されたとする。すると、ステップＳ１５１４で判定コードテーブル１１４０からすべての判定名称１１４１が取得される。そして、第三の表示制御テーブル１２３０を参照して、取得した判定名称１１４１と、選択された“肺気腫”との組み合わせで、“○”が付いていない判定名称を表示対象から除外する。図１２（ｃ）の第三の表示制御テーブル１２３０を参照すると、“肺気腫”と“Ａ：異常なし”との組み合わせには“○”が付いていないので、“Ａ：異常なし”は表示対象から除外される。その他の判定名称については“○”が付いているので表示対象となる。
【０１２２】
こうして絞り込まれた判定名称１１４１を判定リスト１３０４に表示する。前述した通り、本実施形態では元々判定リスト１３０４に判定名称１１４１が表示されているので、表示対象から除外された“Ａ：異常なし”を非表示にする。その結果が、図１７に示す所見入力画面１３００である。
【０１２３】
図１５Ｂの説明に戻る。ステップＳ１５１７では、読影端末１０３の入力制御部３０３は、所見入力画面１３００が備える所見テキスト入力フォーム１３０５に対するテキスト入力を受け付ける。テキストの入力があった場合には、入力されたテキストを所見テキスト入力フォームに１３０５に表示する。こうして所見に関する情報の入力が完了した所見入力画面１３００を図１８に示す。図１８は、図１７に示す所見入力画面１３００に対して、判定リスト１３０４で“Ｃ：経過観察”が更に選択され、所見テキスト入力フォーム１３０５に何かしらのテキストが入力された結果を示している。
【０１２４】
ステップＳ１５１８では、読影端末１０３の入力制御部３０３は、所見入力画面１３００が備える所見追加ボタン１３０６が押下されたか否かを判定する。所見追加ボタン１３０６は、現在入力されている所見の内容とは異なる内容を追加したい場合に押下されるボタンである。検査画像には複数の部位に異常な態様が存在する場合があり、そうした場合にこのボタンを押下することで複数の所見を入力できるようにしている。所見追加ボタン１３０６が押下されたと判定した場合には、ステップＳ１５１９に処理を進める。所見追加ボタン１３０６が押下されたと判定しなかった場合、すなわち所見追加ボタン１３０６が押下されなかった場合には、ステップＳ１５２３に処理を進める。
【０１２５】
ステップＳ１５１９では、読影端末１０３のレポート管理部３０５は、所見入力画面１３００に入力されている各種情報を、レポート管理テーブル９００に登録する。入力されている各種情報の登録先は、現在表示している検査画像に関するレコードの第一の部位９０６、第二の部位９０７、所見９０８、判定９０９、所見テキスト９１０である。また、総合判定９０５に何も格納されていなければ、判定９０９に格納された判定名称を格納する。総合判定９０５にすでに判定名称が格納されているのであれば、判定９０９に格納した判定名称と、総合判定９０５に格納されている判定名称とを比較し、より判定の悪い方を総合判定９０５に格納する。
【０１２６】
ステップＳ１５２０では、読影端末１０３の表示制御部３０２は、所見入力画面１３００の所見表示欄１３０７に、現在入力されている所見に関する情報を表示する。本実施形態では、所見入力画面１３００で選択された、第一の部位名称、第二の部位名称、所見名称、判定名称が表示される。本実施形態では、入力された所見テキストについては所見表示欄１３０７に表示していないが、これも合わせて表示してもよい。
【０１２７】
ステップＳ１５２１では、読影端末１０３のレポート管理部３０５は、レポート管理テーブル９００に新規レコードを追加する。ここでいう新規レコードとは、現在読影している検査の検査情報に紐づくレコードである。例えば、図９でいうと、レポート管理テーブル９００のレポートＩＤ９０１が“Ｒ００１”のレコードに示すように、１つの検査情報に対して複数の所見を対応づける必要がある。そのため、ステップＳ１５２１では、第一の部位９０６から所見テキスト９１０までの各項目について新たなレコードを作成し、現在検査している検査情報に紐づける。
【０１２８】
ステップＳ１５２２では、読影端末１０３の表示制御部３０２は、所見入力画面１３００に入力されている各種情報をすべてクリアし、初期状態に戻す。このとき、所見表示欄１３０７に表示されている情報はクリアせずに、そのままにしておく。また、所見表示欄１３０７に新たな行を追加する。例えば、図１８に示す所見入力画面１３００で所見追加ボタン１３０６が押下されると、図１９に示すように、入力された各種所見に関する情報がクリアされる。ただし、所見表示欄１３０７に表示されている情報はクリアせずに保持しておき、更に所見表示欄１３０７に新たな行を追加する。これを繰り返すことで、１つの検査に対して複数の所見を入力することが可能となる。ステップＳ１５２２が完了したら、ステップＳ１５０１に処理を戻す。
【０１２９】
一方、ステップＳ１５２３では、読影端末１０３の入力制御部３０３は、所見入力画面１３００が備える決定ボタン１３０８が押下されたか否かを判定する。すなわち、表示中の検査画像に対する読影を完了する指示があったか否かを判定するということである。決定ボタン１３０８が押下されたと判定した場合には、ステップＳ１５２４に処理を進める。決定ボタン１３０８が押下されたと判定しなかった場合、すなわち決定ボタン１３０８が押下されていない場合には、ステップＳ１５１８に処理を戻す。
【０１３０】
ステップＳ１５２４では、読影端末１０３のレポート管理部３０５は、所見入力画面１３００に入力されている各種情報を、レポート管理テーブル９００に登録する。ステップＳ１５２４の処理は、ステップＳ１５１９と同様である。
【０１３１】
ステップＳ１５２５では、読影端末１０３の表示制御部３０２は、所見入力画面１３００に入力されている各種情報をすべてクリアし、初期状態に戻す。このとき、所見表示欄１３０７に表示されている情報もクリアし、所見表示欄１３０７を１行に戻す。このようにしてすべて初期状態に戻したら、所見入力処理を終了する。すなわち、ステップＳ１０１２に処理を進め、未読の検査画像があれば次の検査画像が表示され、そうでない場合には所見入力が終了する。
【０１３２】
以上説明したように、本実施形態によれば、検査画像に対する読影の判定結果を示す判定区分の入力を支援することが可能となる。
【０１３３】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１３４】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０１３５】
したがって、本発明の機能処理をコンピュータで実現（実行可能と）するために、前記コンピュータにインストールされるプログラムコード自体も本発明を実現するものである。つまり、本発明は、本発明の機能処理を実現するためのコンピュータプログラム自体も含まれる。
【０１３６】
その場合、プログラムの機能を有していれば、オブジェクトコード、インタプリタにより実行されるプログラム、ＯＳに供給するスクリプトデータ等の形態であってもよい。
【０１３７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１３８】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１３９】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１４０】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０１４１】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０１４２】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１４３】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１４４】
１０１  依頼端末
１０２  業務端末
１０３  読影端末
１０４  読影管理サーバ
１０５  画像管理サーバ
１０６  データベースサーバ
２０１  ＣＰＵ
２０２  ＲＯＭ
２０３  ＲＡＭ
２０４  システムバス
２０５  入力コントローラ
２０６  ビデオコントローラ
２０７  メモリコントローラ
２０８  通信Ｉ／Ｆコントローラ
２０９  入力デバイス
２１０  ディスプレイ
２１１  外部メモリ
【図１】
2019185814.tif 000003
【図２】
2019185814.tif 000004
【図３】
2019185814.tif 000005
【図４】
2019185814.tif 000006
【図５】
2019185814.tif 000007
【図６】
2019185814.tif 000008
【図７】
2019185814.tif 000009
【図８】
2019185814.tif 000010
【図９】
2019185814.tif 000011
【図１０】
2019185814.tif 000012
【図１１】
2019185814.tif 000013
【図１２】
2019185814.tif 000014
【図１３】
2019185814.tif 000015
【図１４】
2019185814.tif 000016
【図１５Ａ】
2019185814.tif 000017
【図１５Ｂ】
2019185814.tif 000018
【図１６】
2019185814.tif 000019
【図１７】
2019185814.tif 000020
【図１８】
2019185814.tif 000021
【図１９】
2019185814.tif 000022
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
医用画像の読影により決定された人体の部位を示す情報を取得する取得手段と、
複数の所見を示す選択肢のうち、前記取得された情報に対応する所見を示す選択肢と、前記取得された情報に対応しない他の所見を示す選択肢とが識別可能となるように、前記複数の所見を示す選択肢の表示を制御する表示制御手段と、
前記表示された選択肢に対する選択を受け付ける選択受付手段と、
を有することを特徴とする医用画像診断支援システム。
【請求項２】
前記取得された情報と、前記表示された選択肢のうち、ユーザから選択された選択肢が示す所見に関する情報とを、前記医用画像の読影に関する読影レポートとして登録する登録手段
を更に有することを特徴とする、請求項１に記載の医用画像診断支援システム。
【請求項３】
前記表示制御手段は、前記医用画像と共に、前記複数の所見を示す選択肢が表示されるように、前記医用画像の表示と前記複数の所見を示す選択肢の表示とを制御することを特徴とする、請求項１又は２に記載の医用画像診断支援システム。
【請求項４】
前記表示制御手段は、前記医用画像と前記読影の判定結果を示す選択肢と共に、前記複数の所見を示す選択肢が表示されるように、前記医用画像の表示と前記判定結果を示す選択肢の表示と前記複数の所見を示す選択肢の表示とを制御することを特徴とする、請求項１又は２に記載の医用画像診断支援システム。
【請求項５】
前記部位に関する情報は、前記部位の場所に関する情報と前記部位の名称に関する情報とを含むことを特徴とする、請求項１乃至４の何れか１項に医用画像診断支援システム。
【請求項６】
前記表示制御手段は、前記他の所見を示す選択肢が表示されないように、前記複数の所見を示す選択肢の表示を制御することを特徴とする、請求項１乃至５の何れか１項に記載の医用画像診断支援システム。
【請求項７】
前記複数の所見を示す選択肢の夫々は、前記所見の名称を示すことを特徴とする、請求項１乃至６の何れか１項に記載の医用画像診断支援システム。
【請求項８】
前記表示制御手段は、前記複数の所見を示す選択肢を予め定められた優先順位で表示されるように、前記複数の所見を示す選択肢を並び替えることを特徴とする、請求項１乃至７の何れか１項に記載の医用画像診断支援システム。
【請求項９】
医用画像の読影により決定された人体の部位を示す情報を取得する取得工程と、
複数の所見を示す選択肢のうち、前記取得された情報に対応する所見を示す選択肢と、前記取得された情報に対応しない他の所見を示す選択肢とが識別可能となるように、前記複数の所見を示す選択肢の表示を制御する表示制御工程と、
前記表示された選択肢に対する選択を受け付ける選択受付工程と、
を有することを特徴とする医用画像診断支援システムの制御方法。
【請求項１０】
医用画像の読影により決定された人体の部位を示す情報を取得する取得手段と、
複数の所見を示す選択肢のうち、前記取得された情報に対応する所見を示す選択肢と、前記取得された情報に対応しない他の所見を示す選択肢とが識別可能となるように、前記複数の所見を示す選択肢の表示を制御する表示制御手段と、
前記表示された選択肢に対する選択を受け付ける選択受付手段と、
を有することを特徴とする情報処理装置。
【請求項１１】
医用画像の読影により決定された人体の部位を示す情報を取得する取得工程と、
複数の所見を示す選択肢のうち、前記取得された情報に対応する所見を示す選択肢と、前記取得された情報に対応しない他の所見を示す選択肢とが識別可能となるように、前記複数の所見を示す選択肢の表示を制御する表示制御工程と、
前記表示された選択肢に対する選択を受け付ける選択受付工程と、
を有することを特徴とする情報処理装置の制御方法。
【請求項１２】
請求項１０に記載の情報処理装置の各手段としてコンピュータを機能させることを特徴とするプログラム。
【手続補正２】
【補正対象書類名】明細書
【補正対象項目名】００１１
【補正方法】変更
【補正の内容】
【００１１】
本発明は、医用画像に関する所見の選択を支援することの可能な仕組みを提供することを目的とする。
【手続補正３】
【補正対象書類名】明細書
【補正対象項目名】００１２
【補正方法】変更
【補正の内容】
【００１２】
上記の目的を達成するために、本発明の医用画像診断支援システムは、医用画像の読影により決定された人体の部位を示す情報を取得する取得手段と、複数の所見を示す選択肢のうち、前記取得された情報に対応する所見を示す選択肢と、前記取得された情報に対応しない他の所見を示す選択肢とが識別可能となるように、前記複数の所見を示す選択肢の表示を制御する表示制御手段と、前記表示された選択肢に対する選択を受け付ける選択受付手段と、を有することを特徴とする。
【手続補正４】
【補正対象書類名】明細書
【補正対象項目名】００１３
【補正方法】変更
【補正の内容】
【００１３】
本発明によれば、医用画像に関する所見の選択を支援することが可能となる。